(57)【要約】【課題】間引き駆動や飛び越し駆動が行なわれても、ディスクリネーションを抑制する画素の補正処理の技術を提供する。【解決手段】複数の走査線に対して書き込みを行なう駆動方法における画素の補正処理方法は；垂直方向に隣接する２つの画素の内の少なくとも１つの画素のみなし階調値を算出する階調値算出工程と；２つの画素の境界として、低階調側画素の階調値が第１の階調値以上であると共に高階調側画素の階調値が第１の階調値よりも大きい第２の階調値以上であり、かつ、高階調側画素の階調値から低階調側画素の階調値を差し引いた値が所定の閾値以上であるリスク境界を検出する境界検出工程と；２つの画素の階調値の差が小さくなるように、算出されたみなし階調値の画素を含む２つの画素の階調値に基づいて、２つの画素の階調値の内の少なくとも一方を補正する補正工程と、を備える。【選択図】図１
2016161620.tif 000002
【特許請求の範囲】
【請求項１】
パネル上の複数の走査線に対して書き込みを行なう駆動方法における画素の補正処理方法であって、
垂直方向に隣接する２つの画素の周辺の画素の階調値と、前記２つの画素の内の少なくとも一方の画素の階調値と、に基づいて、前記２つの画素の内の少なくとも１つの画素の階調値として、みなし階調値を算出する階調値算出工程と、
前記２つの画素の境界として、階調値が低い低階調側画素の階調値が第１の階調値以上であると共に階調値が高い高階調側画素の階調値が前記第１の階調値よりも大きい第２の階調値以上であり、かつ、前記高階調側画素の階調値から前記低階調側画素の階調値を差し引いた値が所定の閾値以上である２つの画素の境界であるリスク境界を検出する境界検出工程と、
前記２つの画素の階調値の差が小さくなるように、算出された前記みなし階調値の画素を含む前記２つの画素の階調値に基づいて、前記２つの画素の階調値の内の少なくとも一方を補正する補正工程と、を備える、補正処理方法。
【請求項２】
請求項１に記載の補正処理方法であって、
前記階調値算出工程は、複数の書き込み期間のうち、第１の書き込み期間を含む一部期間もしくは全期間において、前記複数の走査線の内、映像データに基づいて書き込みが行なわれる一部の走査線であるアクティブ走査線に対して書き込みが行なわれる場合に、前記アクティブ走査線以外の走査線である非アクティブ走査線に含まれる画素の前記みなし階調値を、前記非アクティブ走査線の垂直方向に沿って最も近い上または下に位置する前記アクティブ走査線に含まれる画素の階調値に基づいて算出する、補正処理方法。
【請求項３】
請求項２に記載の補正処理方法であって、
前記複数の走査線は、前記アクティブ走査線と前記非アクティブ走査線とを交互に含み、
前記階調値算出工程は、前記非アクティブ走査線に含まれる非アクティブ画素の前記みなし階調値を、前記非アクティブ画素に垂直方向に隣接する２つの画素の階調値の平均値として算出する、補正処理方法。
【請求項４】
請求項１に記載の補正処理方法であって、
前記複数の書き込み期間は、第１の書き込み期間と重複しない第２の書き込み期間を含み、
前記複数の走査線は、前記第１の書き込み期間に映像データに基づいて書き込みが行なわれる走査線である第１の走査線と、前記第２の書き込み期間に映像データに基づいて書き込みが行なわれると共に前記第１の走査線と異なる第２の走査線と、を含み、
前記階調値算出工程は、前記第１の書き込み期間では、前記複数の走査線の内の前記第１の走査線以外の走査線である第３の走査線に含まれる画素の前記みなし階調値を、前記第１の走査線に含まれ、垂直方向に沿って上または下に隣接する画素の階調値と同じ階調値として算出し、前記第２の書き込み期間では、前記複数の走査線の内の前記第２の走査線以外の走査線である第４の走査線に含まれる画素の前記みなし階調値を、前記第２の走査線に含まれ、垂直方向に沿って上または下に隣接する画素の階調値として算出する、補正処理方法。
【請求項５】
パネル上の複数の走査線に対して書き込みを行なう駆動方法における画素の補正処理回路であって、
垂直方向に隣接する２つの画素の周辺の画素の階調値と、前記２つの画素の内の少なくとも一方の画素の階調値と、に基づいて、前記２つの画素の内の少なくとも１つの画素の階調値として、みなし階調値を算出する階調値算出部と、
前記２つの画素の境界として、階調値が低い低階調側画素の階調値が第１の階調値以上であると共に階調値が高い高階調側画素の階調値が前記第１の階調値よりも大きい第２の階調値以上であり、かつ、前記高階調側画素の階調値から前記低階調側画素の階調値を差し引いた値が所定の閾値以上である２つの画素の境界であるリスク境界を検出する境界検出部と、
前記２つの画素の階調値の差が小さくなるように、算出された前記みなし階調値の画素を含む前記２つの画素の階調値に基づいて、前記２つの画素の階調値の内の少なくとも一方を補正する補正部と、を備える、補正処理回路。
【請求項６】
請求項５に記載された補正処理回路を備える表示装置。
【発明の詳細な説明】
【技術分野】
【０００１】
本発明は、画素の補正処理の技術に関する。
【背景技術】
【０００２】
液晶パネルにおいて、隣り合う画素間の電位差に起因して、隣り合う画素電極の方向に電界が発生し、液晶分子が映像データに基づいて設定される方向とは異なる方向に配向してしまうディスクリネーションが発生する場合がある。液晶パネルにディスクリネーションが発生してしまうと、液晶パネルの表示品位を低下させてしまうおそれがある。
【０００３】
特許文献１には、ディスクリネーションを抑制するために、隣り合う２つの画素の内、階調値が低い暗画素の階調値が第１閾値以上であると共に階調値が高い明画素の階調値が第１閾値よりも高い第２の閾値以上であり、かつ、明画素の階調値と暗画素の階調値との差が所定の値以上となった場合に、当該２つの画素の階調値を補正する技術が記載されている。
【０００４】
また、特許文献２には、右眼用画像と左眼用画像とを時分割で交互に表示する電気光学装置において、液晶パネル上の連続する複数の走査線に対して、１つの走査線に含まれる画素と同じ映像データに基づく階調値を、他の走査線に含まれる画素の階調値として、複数の走査線を同時に書き込む間引き駆動を行なうことで、右眼用画像と左眼用画像との両方の画像が表示されない時間を短縮させる技術が記載されている。また、特許文献２には、書き込み期間を第１の期間と第２の期間とに分割し、第１の期間では、複数の走査線の内の半分の走査線に含まれる画素に書き込み、第２の期間では、第１の期間で書き込まれなかった走査線の画素を書き込む飛び越し駆動についても記載されている。
【先行技術文献】
【特許文献】
【０００５】
【特許文献１】特開２０１２−２５２０４２号公報
【特許文献２】特開２０１２−１４５６９５号公報
【発明の概要】
【発明が解決しようとする課題】
【０００６】
しかし、特許文献１に記載された技術では、明画素の階調値と暗画素の階調値とのそれぞれが既知でないと、ディスクリネーションが発生する２つの画素の境界であるリスク境界を特定できない。そのため、特許文献２に記載されたように、間引き駆動や飛び越し駆動が行なわれると、隣接する２つの画素の階調値が既知でなく、結果として、ディスクリネーションを抑制できないおそれがあった。
【課題を解決するための手段】
【０００７】
本発明は、上述の課題の少なくとも一部を解決するためになされたものであり、以下の形態として実現することが可能である。
【０００８】
（１）本発明の一形態によれば、パネル上の複数の走査線に対して書き込みを行なう駆動方法における画素の補正処理方法が提供される。この補正処理方法は、垂直方向に隣接する２つの画素の周辺の画素の階調値と、前記２つの画素の内の少なくとも一方の画素の階調値と、に基づいて、前記２つの画素の内の少なくとも１つの画素の階調値として、みなし階調値を算出する階調値算出工程と；前記２つの画素の境界として、階調値が低い低階調側画素の階調値が第１の階調値以上であると共に階調値が高い高階調側画素の階調値が前記第１の階調値よりも大きい第２の階調値以上であり、かつ、前記高階調側画素の階調値から前記低階調側画素の階調値を差し引いた値が所定の閾値以上である２つの画素の境界であるリスク境界を検出する境界検出工程と；前記２つの画素の階調値の差が小さくなるように、算出された前記みなし階調値の画素を含む前記２つの画素の階調値に基づいて、前記２つの画素の階調値の内の少なくとも一方を補正する補正工程と、を備える。この形態の補正処理方法によれば、パネル上の複数の走査線に対して書き込みを行なう駆動が行なわれた場合でも、パネル上で隣接するリスク境界を挟む周辺の画素の階調値も考慮した階調値の補正が行なわれる。これにより、パネル上で隣接する画素の階調値が特定されない場合であっても、リスク境界の周辺の画素の階調値に対して過補正などを生じさせずに階調値を補正できるため、ディスクリネーションなどの表示不良を抑制できる。
【０００９】
（２）上記形態の補正処理方法において、前記階調値算出工程は、複数の書き込み期間のうち、第１の書き込み期間を含む一部期間もしくは全期間において、前記複数の走査線の内、映像データに基づいて書き込みが行なわれる一部の走査線であるアクティブ走査線に対して書き込みが行なわれる場合に、前記アクティブ走査線以外の走査線である非アクティブ走査線に含まれる画素の前記みなし階調値を、前記非アクティブ走査線の垂直方向に沿って最も近い上または下に位置する前記アクティブ走査線に含まれる画素の階調値に基づいて算出してもよい。この形態の補正処理方法によれば、間引き駆動される画素のみなし階調値は、最も近くの上側に位置する画素の階調値に基づいて算出されるため、補正後のパネルにおける表示不良や過補正を抑制できる。
【００１０】
（３）上記形態の補正処理方法において、前記複数の走査線は、前記アクティブ走査線と前記非アクティブ走査線とを交互に含み；前記階調値算出工程は、前記非アクティブ走査線に含まれる非アクティブ画素の前記みなし階調値を、前記非アクティブ画素に垂直方向に隣接する２つの画素の階調値の平均値として算出してもよい。この形態の補正処理方法によれば、間引き駆動等が行なわれた場合でも、パネル上でのリスク境界の周辺の画素の階調値に対して過補正などをより生じさせずに補正できるため、ディスクリネーションの表示不良をより抑制できる。
【００１１】
（４）上記形態の補正処理方法において、前記複数の書き込み期間は、第１の書き込み期間と重複しない第２の書き込み期間を含み；前記複数の走査線は、前記第１の書き込み期間に映像データに基づいて書き込みが行なわれる走査線である第１の走査線と、前記第２の書き込み期間に映像データに基づいて書き込みが行なわれると共に前記第１の走査線と異なる第２の走査線と、を含み；前記階調値算出工程は、前記第１の書き込み期間では、前記複数の走査線の内の前記第１の走査線以外の走査線である第３の走査線に含まれる画素の前記みなし階調値を、前記第１の走査線に含まれ、垂直方向に沿って上または下に隣接する画素の階調値と同じ階調値として算出し、前記第２の書き込み期間では、前記複数の走査線の内の前記第２の走査線以外の走査線である第４の走査線に含まれる画素の前記みなし階調値を、前記第２の走査線に含まれ、垂直方向に沿って上または下に隣接する画素のそれぞれの階調値として算出してもよい。この形態の補正処理方法によれば、画素データがパネルに書き込まれる時間を短縮する。また、リスク境界の周辺の画素の階調値に対して過補正を行なわずに、ディスクリネーションの表示不良を抑制できる。
【００１２】
上述した本発明の各形態の有する複数の構成要素はすべてが必須のものではなく、上述の課題の一部または全部を解決するため、あるいは、本明細書に記載された効果の一部または全部を達成するために、適宜、前記複数の構成要素の一部の構成要素について、その変更、削除、新たな他の構成要素との差し替え、限定内容の一部削除を行なうことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１３】
例えば、本発明の一形態は、階調値算出工程と、境界検出工程と、補正工程と、の３つの要素の内の一つまたは二つ以上を備えた装置として実現可能である。すなわち、この方法は、階調値算出工程を有していてもよく、有していなくてもよい。また、方法は、境界検出工程を有していてもよく、有していなくてもよい。また、方法は、補正工程を有していてもよく、有していなくてもよい。階調値算出工程は、例えば、垂直方向に隣接する２つの画素の周辺の画素の階調値と、前記２つの画素の内の少なくとも一方の画素の階調値と、に基づいて、前記２つの画素の内の少なくとも１つの画素の階調値として、みなし階調値を算出してもよい。境界検出工程は、例えば、前記２つの画素の境界として、階調値が低い低階調側画素の階調値が第１の階調値以上であると共に階調値が高い高階調側画素の階調値が前記第１の階調値よりも大きい第２の階調値以上であり、かつ、前記高階調側画素の階調値から前記低階調側画素の階調値を差し引いた値が所定の閾値以上である２つの画素の境界であるリスク境界を検出してもよい。補正工程は、例えば、前記２つの画素の階調値の差が小さくなるように、算出された前記みなし階調値の画素を含む前記２つの画素の階調値とに基づいて、前記２つの画素の階調値の内の少なくとも一方を補正してもよい。こうした方法は、例えば、補正処理方法として実現できるが、補正処理方法以外の他の方法としても実現可能である。このような形態によれば、画素の補正の操作性の向上および簡易化、方法を使用する使用者の利便性の向上、等の種々の課題の少なくとも１つを解決することができる。前述した補正処理方法の各形態の技術的特徴の一部または全部は、いずれもこの方法に適用することが可能である。
【００１４】
本発明は、画素の補正処理方法以外の種々の形態で実現することも可能である。例えば、補正処理回路、補正処理回路を備える表示装置および投射表示装置、補正慮視方法を実行する装置、これらを実現するためのコンピュータープログラム、そのコンピュータープログラムを記録した記録媒体、および、そのコンピュータープログラムを含み搬送波内に具現化されたデータ信号等の形態で実現できる。
【図面の簡単な説明】
【００１５】
【図１】本発明における画素の補正処理を実行する画像表示装置の構成を示すブロック図である。
【図２】画素毎の階調表示を行なう液晶表示装置の概略構成を示す説明図である。
【図３】画素の等価回路を示す説明図である。
【図４】液晶素子における印加電圧と透過率との関係であるＶ−Ｔ特性を示す説明図である。
【図５】図４における電圧範囲に対応する液晶の配向状態を示す概略図である。
【図６】図４における電圧範囲に対応する液晶の配向状態を示す概略図である。
【図７】図４における電圧範囲に対応する液晶の配向状態を示す概略図である。
【図８】ディスクリネーションが発生した領域を説明する説明図である。
【図９】階調値が補正されていない状態での間引き駆動が行なわれた場合のみなし階調値の一部を示す説明図である。
【図１０】画素の階調値補正処理のフローチャートである。
【図１１】画素データとしての画素の階調値と算出されたみなし階調値との関係を示す説明図である。
【図１２】第２実施形態の間引き駆動が行なわれた場合のフレームごとの画素の階調値を示す説明図である。
【図１３】間引き駆動の下補正における補正値の算出の一例を示す説明図である。
【図１４】間引き駆動の上補正における補正値の算出の一例を示す説明図である。
【発明を実施するための形態】
【００１６】
Ａ．第１実施形態：
Ａ−１．液晶表示装置の構成：
図１は、本発明における画素の補正処理を実行する画像表示装置１の構成を示すブロック図である。図１に示すように、画像表示装置１は、液晶表示装置１０と、フレームメモリ４０と、補正処理部２０と、表示制御部５０と、タイミング制御回路３０と、を備えている。タイミング制御回路３０は、各種の制御信号を生成して、画像表示装置１に接続された上位装置（図示していない）から供給される同期信号Ｓｙｎｃ−ｉｎに同期して、画像表示装置１の各部を制御する。表示制御部５０は、液晶表示装置１０を制御することで、液晶表示装置１０に画像を表示させる。フレームメモリ４０には、同期信号Ｓｙｎｃに同期して、上位装置から入力表示データＤａ−ｉｎが入力される。入力表示データＤａ−ｉｎは、液晶パネル１００が有する複数の画素のそれぞれの階調値を指定するデジタルデータである。なお、画素の詳細については、図２および図３を用いて後述する。階調値は、画素の明るさのレベルを規定するパラーメーターである。本実施形態では、入力表示データＤａ−ｉｎを８ビットとして、画素の輝度としての階調値を、十進値で最も暗い「０」の値から最も明るい「２５５」の値まで１刻みで２５６段階のレベルで表している。すなわち、指定された階調値は、高いほど画素の明るさが明るく、低いほど画素の明るさが暗い。
【００１７】
フレームメモリ４０に入力される入力表示データＤａ−ｉｎは、同期信号Ｓｙｎｃに含まれる垂直走査信号と水平走査信号とドットクロック信号（いずれも図示していない）に対応付けられた走査の順番で供給される。本実施形態では、タイミング制御回路３０は、１フレームを複数のフィールドに分割する間引き駆動などを行なう。間引き駆動の一例である４倍速駆動では、タイミング制御回路３０は、上位装置から入力される６０ヘルツ（Ｈｚ）の同期信号Ｓｙｎｃ−ｉｎを、パネル駆動に合わせた２４０Ｈｚの同期信号ｓｙｎｃとしてフレームメモリ４０に出力する。また、タイミング制御回路３０は、２４０Ｈｚのパネル駆動信号Ｘｃｔｒ，Ｙｃｔｒを液晶表示装置１０に出力する。
【００１８】
フレームメモリ４０は、上位装置から入力された入力表示データＤａ−ｉｎと、タイミング制御回路３０から入力された同期信号ｓｙｎｃと、に基づいて、パネル駆動に合わせて間引きした表示データＤａ−ｄを補正処理部２０へと出力する。補正処理部２０は、入力表示データＤａ−ｄに対して後述する補正処理を行なって、補正処理後の表示データを表示制御部５０に出力する。表示制御部５０は、出力された表示データを、表示データＤａ−ｏｕｔとして液晶表示装置１０に出力する。液晶表示装置１０は、例えば、画素１１１のそれぞれをトランジスターなどのスイッチング素子により駆動するアクティブ・マトリクス型の表示装置である。液晶表示装置１０は、表示制御部５０から供給される表示データＤａ−ｏｕｔに基づいて画像を表示する。なお、入力表示データＤａ−ｉｎは、液晶表示装置１０の画素のそれぞれの階調値を指定するデータであり、階調値に対応して液晶素子の印加電圧が決定されるため、入力表示データＤａ−ｉｎは、液晶素子の印加電圧を指定すると換言できる。
【００１９】
図２は、画素毎の階調表示を行なう液晶表示装置１０の概略構成を示す説明図である。液晶表示装置１０は、液晶パネル１００と、走査線駆動回路１３０と、データ線駆動回路１４０と、を備えている。液晶パネル１００は、供給される映像データの信号に基づいて画像を表示する。液晶パネル１００は、ｍ行ｎ列（ｍ，ｎは整数）のマトリクス状に配置された複数（ｍ×ｎ）の画素１１１を有する。画素１１１は、走査線駆動回路１３０とデータ線駆動回路１４０とのそれぞれから供給される信号に対応付けられた階調値を含む光学状態を示す。液晶パネル１００は、複数の画素１１１のそれぞれの光学状態を制御することで画像を表示する。
【００２０】
液晶パネル１００は、素子基板１００ａと、対向基板１００ｂと、液晶１０５と、を有する。素子基板１００ａと対向基板１００ｂとは、所定の間隔を形成するように張り合わされている。液晶１０５は、素子基板１００ａと対向基板１００ｂとの間に形成された所定の間隔内に配置される。
【００２１】
素子基板１００ａは、対向基板１００ｂに対向する面に、ｍ行のそれぞれの行に対応した複数（ｍ個）の走査線１１２と、ｎ列のそれぞれの列に対応した複数（ｎ個）のデータ線１１４と、を有している。走査線１１２は、横方向（図２に示すＸ方向）に沿って形成されている。データ線１１４は、縦方向（図２に示すＹ方向）に沿って形成されている。走査線１１２とデータ線１１４とのそれぞれは、絶縁するように配置されている。本明細書では、複数の走査線１１２を区別するために、Ｘ方向に沿って、最も左側に配置された走査線１１２を第１行の走査線１１２と呼び、一番右の走査線１１２を第ｍ行の走査線１１２と呼ぶ。同様に、複数のデータ線１１４を区別するために、Ｙ方向に沿って、最も上に配置されたデータ線１１４を第１列のデータ線１１４と呼び、最も下に配置されたデータ線１１４を第ｎ列のデータ線１１４と呼ぶ。画素１１１は、走査線１１２とデータ線１１４とが交差する位置のそれぞれに形成されており、ｍとｎとの積の数だけ形成されている。
【００２２】
図３は、画素１１１の等価回路を示す説明図である。図３には、４つの画素１１１が示されている。画素１１１は、ＴＦＴ１１６と、液晶素子１２０と、保持容量１２５と、を有している。液晶素子１２０は、画素電極１１８と、液晶１０５と、コモン電極１０８と、を有している。画素電極１１８は、複数の画素１１１のそれぞれに設けられた電極である。コモン電極１０８は、複数の画素１１１の全てに共通する１つの電極である。画素電極１１８は、素子基板１００ａに形成され、コモン電極１０８は、対向基板１００ｂに形成されている。液晶１０５は、画素電極１１８とコモン電極１０８とに挟まれるように配置されている。コモン電極１０８には、コモン電圧ＬＣｃｏｍが印加される。
【００２３】
ＴＦＴ１１６は、素子基板１００ａから画素電極１１８への電圧の印加を制御するスイッチング素子である。本実施形態では、ＴＦＴ１１６として、ｎチャネル型の電界効果トランジスターが用いられている。ＴＦＴ１１６は、走査線１１２のそれぞれに設けられている。第ｉ行第ｊ列（ｉはｍ以下の正の整数、ｊはｎ以下の正の整数）のＴＦＴ１１６において、ゲートは第ｉ行の走査線１１２に接続され、ソースは第ｊ列のデータ線１１４に接続され、ドレインは画素電極１１８に接続されている。保持容量１２５の一端は、画素電極１１８に接続され、保持容量１２５の他端は、容量線１１５に接続されている。容量線１１５には、時間の経過に伴って一定の電圧が印加される。
【００２４】
第ｉ行の走査線１１２にＨｉｇｈレベルの電圧（以下、「選択電圧」とも呼ぶ）が印加されると、第ｉ行第ｊ列のＴＦＴ１１６がオン状態となり、ソースとドレインとが導通する。ソースとドレインとが導通し、第ｊ列のデータ線１１４に、第ｉ行第ｊ列の画素１１１のデータとしての階調値に対応する電圧（以下、「データ電圧」とも呼ぶ）が印加されると、データ電圧は、ＴＦＴ１１６を介して、第ｉ行第ｊ列の画素電極１１８に印加される。その後、第ｉ行の走査線１１２にＬｏｗレベルの電圧（以下、「非選択電圧」とも呼ぶ）が印加されると、ＴＦＴ１１６は、オフ状態となり、ソースとドレインとは高インピーダンス状態となる。ＴＦＴ１１６がオン状態のときに画素電極１１８に印加された電圧は、液晶素子１２０の容量性および保持容量１２５によって、ＴＦＴ１１６がオフ状態になった後も保持される。なお、選択電圧および非選択電圧の詳細については、後述する。
【００２５】
液晶素子１２０には、データ電圧とコモン電圧との電圧差に相当する電圧が印加される。液晶１０５の分子配向状態は、液晶素子１２０に印加される電圧に対応して変化し、画素１１１の光学状態は、液晶１０５の分子配向状態に応じて変化する。例えば、液晶パネル１００が透過型のパネルである場合、光学状態の変化として、透過率が変化する。
【００２６】
図２に示すように、走査線駆動回路１３０は、ｍ本の走査線１１２の中から１つの走査線１１２を順々に排他的に選択する回路である。換言すれば、走査線駆動回路１３０は、走査線１１２を走査する回路である。具体的には、走査線駆動回路１３０は、制御信号Ｙｃｔｒに基づいて、第ｉ行の走査線１１２に、走査信号Ｙｉを供給する。走査信号Ｙｉは、選択された走査線１１２に対しては選択電圧の信号となり、選択されていない走査線１１２に対しては非選択電圧の信号となる。
【００２７】
データ線駆動回路１４０は、ｎ本のデータ線１１４にデータ電圧を示す信号（以下、「データ信号」とも呼ぶ）を出力する回路である。具体的には、データ線駆動回路１４０は、液晶表示装置１０に表示する画像データに基づくデータ信号Ｖｘを、制御信号Ｙｃｔｒに基づいてサンプリングし、全てのデータ線１１４のそれぞれに、データ信号Ｘ１〜Ｘｎとして出力する。なお、本実施形態において説明した電圧は、液晶素子１２０の印加電圧を除き、特に明記しない限り、図示を省略した接地電位を基準（ゼロＶ）として表す。
【００２８】
液晶パネル１００に表示される画像は、所定の周期で書き換えられる。書き換えの周期であるフレームは、例えば、画像が６０ヘルツ（Ｈｚ）で書き換えられる場合、１フレームは、約１６．７ミリ秒（ｍｓ）である。１フレームごとに、走査線駆動回路１３０がｍ本の走査線１１２を走査し、データ線駆動回路１４０がデータ信号を出力することにより、液晶パネル１００に表示される画像が書き換えられる。
【００２９】
図１に示すように、フレームメモリ４０は、液晶パネル１００の領域に対応したｍ行ｎ列の画素１１１の配列に対応した記憶領域を有し、１フレーム分の入力表示データＤａ−ｉｎを記憶する。入力表示データＤａ−ｉｎは、上位装置から供給されてフレームメモリ４０の記憶領域に書き込まれる。また、フレームメモリ４０に書き込まれた入力表示データＤａ−ｉｎの記憶およびフレームメモリ４０からの表示データＤａ−ｄの読み出しは、液晶表示装置１０の制御下において、液晶パネル１００における駆動タイミングに基づいてメモリコントローラー（図示していない）によって実行される。表示データＤａ−ｄは、入力表示データＤａ−ｉｎを基に間引きが行なわれたデータである。
【００３０】
画像表示装置１は、ｍ行の走査線の内の１つの走査線に印加される選択電圧と同じ電圧を、選択電圧が印加される走査線に連続して配置される走査線に印加する間引き駆動や、ｍ行の走査線の内の一部の走査線に選択電圧が印加されない飛び越し駆動を行なう。なお、本実施形態における間引き駆動や飛び越し駆動は、請求項における複数の走査線に対して同時に書き込みを行なう駆動に相当する。
【００３１】
図１に示すように、補正処理部２０は、階調値推定部２２と、境界特定部２４と、補正値算出部２５と、補正部２６と、を有している。間引き駆動や飛び越し駆動が行なわれると、表示データＤａ−ｄの内の間引きまたは飛び越しが行なわれた画素の階調値が既知でないため、階調値推定部２２は、既知でない画素の階調値を、後述する補正のために用いるみなし階調値として算出する。境界特定部２４は、入力表示データＤａ−ｄとして書き込まれた画素と当該画素に隣接すると共に階調値推定部によって推定された画素とを含む隣接する２つの画素１１１の内、階調値が低い方の暗画素が第１の閾値以上の階調値であると共に、もう一方の明画素が第１の閾値よりも大きい第２の閾値以上である２つの画素１１１の境界を特定する。また、当該２つの画素１１１の階調値の差が予め設定された第３の閾値以上である場合に、当該２つの画素１１１の境界をリスク境界として特定する。リスク境界では、液晶パネル１００の品質を悪化させるディスクリネーションが発生する場合がある。ディスクリネーションについては、「Ａ−２．ディスクリネーションについて」で後述する。なお、第１の閾値は、請求項における第１の階調値に相当し、第２の閾値は、請求項における第２の階調値に相当する。また、第３の閾値は、所定の閾値に相当する。境界特定部２４は、請求項における境界検出部に相当する。
【００３２】
補正値算出部２５は、境界特定部２４によって検出されたリスク境界に発生するディスクリネーションを抑制するための補正値を、階調値推定部２２によって算出されたみなし階調値を用いて算出する。詳細については、後述するが、間引き駆動や飛び越し駆動が行なわれる際に、リスク境界を挟む明画素と暗画素とのそれぞれの階調値に基づいて補正値が算出されると、補正後の明画素と暗画素とのそれぞれは、補正前にリスク境界が発生していない境界を挟む画素の階調値と比較した際に、結果として階調値が過補正されているおそれがある。そのため、補正値算出部２５は、間引かれた画素１１１の階調値が過補正されないために、明画素と暗画素とのそれぞれの階調値に加減算する補正値を算出するための明画素と暗画素とのそれぞれの階調値に基づく補正値を算出する。なお、補正値が算出される画素は、リスク境界を挟む２つの画素１１１のみに限られず、それ以外の画素１１１である場合もある。
【００３３】
補正値算出部２５は、境界特定部２４によってリスク境界が特定された場合に、リスク境界を形成している２つの隣接する画素１１１の階調値を補正するための補正値を算出する。補正値の算出には、種々の公知技術を適用できる。補正値算出部２５は、暗画素の階調値と明画素の階調値とのそれぞれに加減する補正値を算出するために、例えば、第１補正係数α（０＜α＜０．５）と、第１補正係数αとの合計が１よりも小さい第２補正係数β（０＜α＋β＜１）とを設定する。補正値算出部２５は、暗画素の階調値と明画素の階調値との差である階調差Δｃに第１補正係数αを乗じた値を、暗画素の階調値に加える補正値として算出する。また、補正値算出部２５は、階調差Δｃに第２補正係数βを乗じた値を、明画素の階調値から差し引く補正値として算出する。
【００３４】
補正部２６は、フレームメモリ４０から供給された表示データＤａ−ｄの画素１１１の階調値に対して、補正値算出部２５によって算出された補正値を加減した後に、表示データを表示制御部５０へと出力する。
【００３５】
Ａ−２．ディスクリネーションについて：
図４は、液晶素子１２０における印加電圧と透過率との関係であるＶ−Ｔ特性を示す説明図である。図５ないし図７は、図４における電圧範囲に対応する液晶１０５の配向状態を示す概略図である。本実施形態の液晶１０５は、ＶＡ方式であり、電圧が印加されていない状態において透過率がゼロとなるノーマリーブラックモードの液晶である。なお、他の実施形態では、液晶１０５は、電圧が印加されていない状態において透過率が最大となるノーマリーホワイトモードの液晶であってもよい。図４に示すように、ノーマリーブラックモードの液晶１０５では、液晶１０５に印加する電圧を０ボルト（Ｖ）から電圧Ｖｗｔまで増加させると、透過率が増加することで階調値が増加する。電圧範囲ＶＡのときには、階調値の範囲が階調範囲ＡＡであり、電圧範囲ＶＢのときには、階調値の範囲が階調範囲ＡＢであり、電圧範囲ＶＣのときには、階調値の範囲が階調範囲ＡＣである。図５には、階調範囲ＡＡの場合の液晶１０５の配向状態の一例が示されている。コモン電極１０８と画素電極１１８との間に電圧差が生じると、液晶１０５は、図５に示すように、印加された電圧によって決定されるプレチルト方向に、チルト角としての角度θの分だけ傾く。液晶１０５が傾くことで、液晶パネル１００の透過率が変化する。図６には、階調範囲ＡＢの場合の液晶１０５の配向状態の一例が示され、図７には、階調範囲ＡＣの場合の液晶１０５の配向状態の一例が示されている。図５から図７までの各図に示すように、コモン電極１０８と画素電極１１８との電圧差が大きいほど、チルト角としての角度θが大きくなり、透過率が上昇する。
【００３６】
液晶パネル１００の高精細化に伴って、１つの画素１１１の大きさが小さくなることで、隣接する画素電極１１８の距離が小さくなると、特定の画素１１１におけるコモン電極１０８と画素電極１１８との電圧差によって生じた電界が、隣接する画素１１１の電圧差を、入力された電圧差とは異なる電圧差に変化させる影響を与える可能性がある。隣接する画素１１１の電圧差の影響を受けた画素１１１では、表示データＤａ−ｏｕｔに対応するチルト角とは異なる角度で配向するディスクリネーションが発生する場合がある。ディスクリネーションが発生すると、出力すべき階調値と異なる階調値で画素１１１の光学状態が制御されるため、表示不良の原因となりえる。
【００３７】
図８は、ディスクリネーションが発生した領域を説明する説明図である。本実施形態では、電圧範囲ＶＢの範囲に含まれる電圧が印加されている画素１１１と電圧範囲ＶＣの範囲に含まれる電圧が印加されている画素１１１とが隣接すると、当該２つの画素１１１の境界においてディスクリネーションが発生することがわかっている。なお、ディスクリネーションが発生する隣接する画素１１１に印加される電圧については、液晶パネル１００の各種設定値により異なってくる。図８には、電圧範囲ＶＣの範囲に含まれる電圧が印加された液晶１０５ｃと、電圧範囲ＶＢの範囲に含まれる電圧が印加された液晶１０５ｂと、の境界であるリスク境界を中心として、横電界ＳＥが発生している状態が示されている。横電界ＳＥが発生することにより、ディスクリネーション発生領域ＤＡでは、液晶１０５ｃに隣接すると共に電圧範囲ＶＣに含まれる電圧が印加された液晶１０５（図８において液晶１０５ｃの右側にある液晶）は、意図されたチルト角よりも大きい角度で傾いている。また、同じように、ディスクリネーション発生領域ＤＡでは、液晶１０５ｂに隣接すると共に電圧範囲ＶＢに含まれる電圧が印加された液晶１０５（図８において液晶１０５ｂの左側にある液晶）は、意図されたチルト角よりも大きい角度で傾いている。そのため、ディスクリネーションが抑制されることで、液晶パネル１００の表示不良を解消できる。
【００３８】
Ａ−３．間引き駆動における画素１１１の階調値の補正：
図９は、階調値が補正されていない状態での間引き駆動が行なわれた場合のみなし階調値の一部を示す説明図である。図９には、偶数行の走査線の間引き駆動が行なわれた場合の、画素データにおける階調値と液晶パネル１００に表示される画素１１１の階調値との関係の一部が示されている。本実施形態の間引き駆動では、偶数行の画素１１１の階調値は、液晶パネル１００において上側の走査線に位置する奇数行の画素１１１の階調値と同じになるようなみなし階調値として出力される。例えば、図９に示すように、連続する奇数行の画素１１１の階調値が、「Ｕ１」、「Ｃ」、「Ｄ１」である場合に、偶数行の画素１１１も考慮すると、液晶パネル１００において垂直方向に隣接する画素１１１の階調値は、「Ｕ１」、「Ｕ１」、「Ｃ」、「Ｃ」、「Ｄ１」、「Ｄ１」と出力される。なお、画素データとして入力される（２ｋ−１）行と（２（ｋ＋１）−１）行と（２（ｋ＋２）−１）行とは、請求項におけるアクティブ走査線に相当する。また、画素データとして入力されない（２ｋ）行と（２（ｋ＋１））行と（２（ｋ＋２））行とは、請求項における非アクティブ走査線に相当する。
【００３９】
図９に示す例において、本実施形態では、階調値Ｕ１を出力するために画素１１１に印加される電圧は電圧範囲ＶＢに含まれ、階調値Ｃを出力するために画素１１１に印加される電圧は電圧範囲ＶＣに含まれる。隣接する２つの画素１１１の内の一方に印加される電圧が電圧範囲ＶＢに含まれると共に、もう一方に印加される電圧が電圧範囲ＶＣに含まれる場合には、当該２つの画素１１１の境界は、リスク境界になる。そのため、階調値Ｕ１の画素１１１と階調値Ｃの画素１１１との境界は、リスク境界ＲＢとして検出される。本実施形態では、リスク境界が検出された場合に、リスク境界ＲＢを挟む下側の行の画素１１１の階調値が補正される。具体的には、リスク境界ＲＢを挟む画素データの下側の走査線の画素１１１が、明画素の場合には階調値を下げるための補正値が算出され、暗画素の場合には階調値を上げるための補正値が算出される。
【００４０】
本実施形態では、間引き駆動が行なわれているため、フレームメモリ４０から出力された表示データＤａ−ｄでは、液晶パネル１００における全ての画素の階調値が既知でないため、液晶パネル１００におけるリスク境界の位置は正確に特定されない。具体的に言うと、液晶パネル１００では、偶数行の画素１１１に、奇数行の画素１１１と同じ階調値が出力されている。この場合に、表示データＤａ−ｄの画素の階調値に基づいてリスク境界が特定されると、図９に示すように、階調値Ｕ１の画素１１１ａと階調値Ｃの画素１１１ｂとの境界ＢＤ１と、階調値Ｃの画素１１１ｂと階調値Ｃの画素１１１ｃの境界ＢＤ２と、の両方がリスク境界として検出されてしまう。これにより、画素データ上の（２（ｋ＋１）＋１）行に含まれる画素１１１の階調値Ｃが補正されるため、液晶パネル１００上の明画素の画素１１１ｂ，１１１ｃの階調値Ｃが補正される。画素１１１ｂ，１１１ｃの階調値が補正されると、リスク境界ではない画素１１１ｃと画素１１１ｃの下に位置する画素１１１ｄとの境界ＢＤ３では、補正された画素１１１ｃの階調値と画素１１１ｄの階調値との関係により、画素１１１ｃの階調値Ｃの補正が過補正となってしまう場合がある。そのため、本実施形態では、間引き駆動が行なわれても、画素１１１の階調値の補正が過補正とならないように、階調値推定部が算出したみなし階調値を用いた補正が行なわれる。
【００４１】
図１０は、画素１１１の階調値補正処理のフローチャートである。階調値補正処理は、通常駆動と異なる間引き駆動などが行なわれた場合に、補正処理部２０がフレームメモリ４０から入力された入力表示データＤａ−ｄに基づいて算出したみなし階調値を用いて、リスク境界を発生させる２つの画素１１１の少なくとも一方の階調値を補正する処理である。初めに、フレームメモリ４０は、液晶パネル１００に出力する表示データＤａ−ｄが通常駆動のデータであるか通常駆動以外の駆動（例えば、間引き駆動）のデータであるかを判定する（ステップＳ１１）。通常駆動であると判定された場合には（ステップＳ１１：ＹＥＳ）、補正処理部２０は、階調値の補正を行なわずに階調値補正処理を終了する。
【００４２】
ステップＳ１１の処理において、通常駆動と異なる駆動であると判定された場合には（ステップＳ１１：ＮＯ）、階調値推定部２２は、表示データＤａ−ｄの内の既知でない画素（例えば、間引かれた画素）の階調値を、みなし階調値として算出する（ステップＳ１２）。なお、本実施形態では、ｍ行の内の半分の行が間引きされた間引き駆動が行なわれた場合について説明する。他の実施形態では、通常駆動と異なる駆動として本実施形態と異なる駆動方法が用いられてもよい。
【００４３】
図１１は、画素データとしての画素１１１の階調値と算出されたみなし階調値との関係を示す説明図である。階調値推定部２２は、補正値を算出するための境界下画素の上側の画素１１１のみなし階調値を、隣接する境界下画素の階調値との平均値として算出する。具体的には、図１１に示すように、階調値推定部２２は、（２ｋ−１）行の画素１１１の画素１１１のみなし階調値を、画素データの階調値である「Ｕ１」と境界下画素の階調値である「Ｃ」とを加えて２で除した値として算出する。また、同じように、階調値推定部２２は、境界下画素の下側の画素１１１の階調値を、隣接する境界下画素の階調値の平均値として算出する。すなわち、図１１に示すように、階調値推定部２２は、（２（ｋ＋２）−１）行の画素１１１の階調値を、画素データの階調値である「Ｄ１」と境界下画素の階調値である「Ｃ」とを加えて２で除した値として算出する。なお、（２（ｋ＋１）−１）行の階調値が「Ｃ」である画素１１１は、請求項における第１画素に相当する。また、（２ｋ−１）行の階調値が「Ｕ１」である画素１１１と（２（ｋ＋２）−１）行の階調値が「Ｄ１」である画素１１１のそれぞれは、請求項における上方画素と下方画素とのそれぞれに相当する。他の実施形態では、階調値推定部２２が算出するみなし階調値については、種々変形可能であり、本実施形態では、みなし階調値の一例について説明している。
【００４４】
図１０のステップＳ１２の処理が行なわれると、境界特定部２４は、入力表示データＤａ−ｄおよびみなし階調値から、リスク境界を発生させる２つの画素１１１の階調値の組み合わせを検出することで、リスク境界を検出する（ステップＳ１３）。リスク境界が検出されなかった場合には（ステップＳ１３：ＮＯ）、補正処理部２０は、階調値の補正を行なわずに、間引かれた画素の階調値をみなし階調値としての表示データを生成して、階調値補正処理を終了する。
【００４５】
ステップＳ１３の処理において、リスク境界ＲＢが検出された場合には、補正値算出部２５は、リスク境界ＲＢを挟む２つの画素１１１である明画素と暗画素とを補正するための補正値を、みなし階調値を用いて算出する（ステップＳ１７）。本実施形態では、補正値算出部２５は、リスク境界ＲＢを挟む２つの画素１１１の内の下側の行に位置する画素１１１（以下、単に「境界下画素」とも呼ぶ）の階調値を基準として、境界下画素の上下に隣接する画素１１１の階調値のそれぞれに対して補正値を算出する。例えば、図９に示す例では、境界下画素は、（２（ｋ＋１）−１）行の階調値が「Ｃ」である画素１１１であり、補正値が算出される画素は、境界下画素の上側の（２ｋ−１）行の階調値が「Ｕ１」である画素１１１と、境界下画素の下側の（２（ｋ＋２）−１）行の階調値が「Ｄ１」である画素１１１と、である。
【００４６】
補正値算出部２５は、算出されたみなし階調値に基づいて、リスク境界ＲＢを構成している２つの明画素の階調値と暗画素の階調値とのそれぞれに加減算する補正値を算出する（ステップＳ１７）。補正値算出部２５は、補正値の算出の一例として、上述したように、設定した第１補正係数αおよび第２補正係数βと、リスク境界ＲＢを挟む２つの画素１１１であるみなし階調値の差である階調差Δｃとに基づいて、暗画素の階調値に加える補正値と、明画素の階調値から差し引く補正値と、を算出する。
【００４７】
ステップＳ１７の処理が行なわれると、補正部２６は、補正値算出部２５によって算出された補正値を、フレームメモリ４０から供給された入力表示データＤａ−ｄに加減算する（ステップＳ１９）。次に、補正部２６は、補正後のデータを表示データとして表示制御部２０に出力し、表示制御部２０は、補正部２６から出力された表示データに基づいて、表示データＤａ−ｏｕｔを液晶表示装置１００に出力し、液晶表示装置１００は、供給された表示データＤａ−ｏｕｔに基づいて、液晶表示装置１０の液晶パネル１００に画像を表示する（ステップＳ２１）。その後、補正処理部２０は、階調値補正処理を終了する。
【００４８】
以上説明したように、本実施形態の画像表示装置１では、間引き駆動や飛び越し駆動が行なわれた場合に、階調値推定部２２は、間引かれた画素などの階調値が既知でない画素の階調値としてみなし階調値を算出する。境界特定部２４は、入力表示データＤａ−ｄおよびみなし階調値の内の階調値におけるリスク境界ＲＢを検出し、補正値算出部２５は、リスク境界ＲＢの周辺の画素１１１の階調値と算出されたみなし階調値とに基づいてリスク境界ＲＢを挟む明画素と暗画素との少なくとも一方に加減算する補正値を算出する。そのため、本実施形態の画像表示装置１では、入力される画素データと液晶パネル１００に表示される信号とが異なる間引き駆動や飛び越し駆動が行なわれた場合でも、液晶パネル１００で隣接するリスク境界を挟む周辺の画素１１１の階調値も考慮した階調値の補正が行なわれる。これにより、液晶パネル１００で隣接する画素１１１の階調値が既知でない場合であっても、リスク境界ＲＢの周辺の画素１１１の画素の階調値に対して過補正などを生じさせずに補正できるため、ディスクリネーションの表示不良を抑制できる。
【００４９】
また、本実施形態の画像表示装置１では、階調値推定部２２は、間引き駆動される画素１１１のみなし階調値を、最も近くの上側に位置する画素データに基づく画素１１１の階調値に基づいて算出する。そのため、みなし階調値が上側に位置する画素データに基づく画素１１１の階調値と異なる場合と比べて、補正後の液晶パネル１００における表示不良や過補正を抑制できる。
【００５０】
また、本実施形態の画像表示装置１では、階調値推定部２２は、図１１に示すように、リスク境界ＲＢを挟む上側の（２ｋ−１）行の画素１１１の階調値のみなし階調値を、（２ｋ−１）行の画素１１１の階調値の「Ｕ１」と、リスク境界ＲＢを挟む下側の（２（ｋ＋１）−１）行の画素１１１の階調値の「Ｃ」と、の平均値として算出する。また、階調値推定部２２は、リスク境界ＲＢを挟む下側の（２（ｋ＋２）−１）行の画素１１１の階調値のみなし階調値を、（２（ｋ＋１）−１）行の画素１１１の階調値の「Ｃ」と、（ｋ＋１）−１）行の画素１１１の下側の（２（ｋ＋２）−１行の画素１１１の「Ｄ１」と、の平均値として算出する。そのため、本実施形態の画像表示装置１では、間引き駆動や飛び越し駆動が行なわれた場合でも、液晶パネル１００上でのリスク境界ＲＢの周辺の画素１１１の階調値に対して過補正などをより生じさせずに補正できるため、ディスクリネーションの表示不良をより抑制できる。
【００５１】
Ｂ．第２実施形態：
第１実施形態では、間引き駆動が行なわれる場合のリスク境界ＲＢを挟む画素１１１の階調値の補正の一例について説明したが、第２実施形態では、別の例について説明する。
【００５２】
図１２は、第２実施形態の間引き駆動が行なわれた場合のフレームごとの画素１１１の階調値を示す説明図である。図１２には、通常駆動と第２実施形態で行なわれる間引き駆動とにおいて、ｊ列の２ｋ行から（２（ｋ＋４）＋１）行までの計８行の走査線に含まれる画素１１１の階調値が示されている。図１２に示すように、第２実施形態では、フレームメモリ４０は、通常駆動における１つのフレームの画素１１１の階調値を４つのフレームに分けて液晶パネル１００に供給する間引き駆動を行なう。フレームメモリ４０は、４つのフレームの内、１つ目のフレームである１フレームとして、偶数の走査線の画素１１１の階調値を補正処理部２０に出力する。階調値推定部２２は、当該偶数の走査線の１行下側の奇数の走査線の画素１１１のみなし階調値を、当該偶数の走査線の画素１１１の階調値と同じ階調値として算出する。例えば、フレームメモリ４０が２ｋ行の画素１１１の階調値を、（２ｋ＋１）行の画素１１１の階調値にコピーして出力すると、図１２に示すように、２ｋ行の画素１１１の階調値と、（２ｋ＋１）の画素１１１のみなし階調値とは、同じ「ｄ０」である。
【００５３】
フレームメモリ４０は、４つのフレームの内、２つ目のフレームである２フレームとして、奇数の走査線の画素１１１の階調値を補正処理部２０に出力する。階調値推定部２２は、当該奇数の走査線の１行下側の偶数の走査線の画素１１１のみなし階調値を、当該奇数の走査線の画素１１１の階調値と同じ階調値として算出する。なお、図１２には図示していないが、２フレームの２ｋ行の画素１１１のみなし階調値は、上側の奇数の（２（ｋ−１）＋１）行の画素１１１の階調値と同じである。フレームメモリ４０は、４つのフレームの内、３つ目のフレームである３フレームとして、偶数の走査線の画素１１１の階調値を補正処理部２０に出力する。階調値推定部２２は、当該偶数の走査線の１行上側の奇数の走査線の画素１１１のみなし階調値を、当該偶数の走査線の画素１１１の階調値と同じ階調値として算出する。なお、図１２には図示していないが、３フレームの（２（ｋ＋４）＋１）行の画素１１１のみなし階調値は、下の偶数の（２（ｋ＋５））行の画素１１１の階調値と同じである。フレームメモリ４０は、４つのフレームの内、４つ目のフレームである４フレームとして、奇数の走査線の画素１１１の階調値を補正処理部２０に出力する。階調値推定部２２は、当該奇数の走査線の１行上側の偶数の走査線の画素１１１のみなし階調値を、当該奇数の走査線の画素１１１の階調値と同じ階調値として出力する。以上で説明したことを簡単に言うと、１フレームおよび２フレームでは、上側の画素１１１の階調値が、当該画素１１１および当該画素１１１の下の画素１１１としてコピーして出力される。また、３フレームおよび４フレームでは、下の画素１１１の階調値が、当該画素１１１および当該画素１１１の上側の画素１１１として、コピーして出力される。
【００５４】
第２実施形態の間引き駆動では、第１実施形態の間引き駆動と比較して、階調値推定部２２が、既知でない画素１１１の階調値のみなし階調値として、下の画素１１１の階調値をコピーした１フレームおよび２フレームにおける補正である下補正と、既知でない画素１１１の階調値のみなし階調値として上側の画素１１１の階調値をコピーした３フレームおよび４フレームにおける補正である上補正と、を行なう点が異なる。なお、第２実施形態では、階調値が既知でない画素１１１のみなし階調値として、階調値が既知である画素１１１の階調値をコピーしたが、第１実施形態のように隣接する画素１１１の平均値の階調値としてもよい。
【００５５】
図１３は、間引き駆動の下補正における補正値の算出の一例を示す説明図である。例えば、図１３に示すように、２ｋ行の画素１１１の階調値の「ｄ０」と（２（ｋ＋１））行の画素１１１の階調値の「ｄ２」とがリスク境界ＲＢを挟むと共に、（２（ｋ＋１）＋１）行の画素１１１の階調値の「ｄ２」と（２（ｋ＋２））行の画素１１１の階調値の「ｄ４」とがリスク境界ＲＢを構成していない場合の下補正では、補正値算出部２５は、２通りの補正値を算出しえる。１つの例（１）として、補正値算出部２５は、第２実施形態のようにみなし階調値が算出された下補正の場合に、リスク境界ＲＢを構成している下の画素１１１である（２（ｋ＋１））行の画素１１１の下に位置する（２（ｋ＋２））行の画素１１１の階調値を、（２（ｋ＋１））行の画素１１１の階調値の「ｄ２」として、補正値を算出する。補正部２６は、画素データの画素１１１の階調値に算出された補正値を加減算する。
【００５６】
また、第１実施形態のようにみなし階調値が算出された下補正において、補正値が算出されるもう１つの例（２）として、補正値算出部２５は、リスク境界ＲＢを挟む上側の画素１１１である２ｋ行の画素１１１のみなし階調値を、リスク境界ＲＢを挟む２つの画素１１１の階調値の平均値として算出する。
【００５７】
図１４は、間引き駆動の上補正における補正値の算出の一例を示す説明図である。図１４に示すように、２ｋ行の画素１１１の階調値の「ｄ０」と（２（ｋ＋１））行の画素１１１の階調値の「ｄ２」とがリスク境界ＲＢを挟むと共に、（２（ｋ＋１）＋１）行の画素１１１の階調値の「ｄ２」と（２（ｋ＋２））行の画素１１１の階調値の「ｄ４」とがリスク境界ＲＢを構成していない場合の上補正では、補正値算出部２５は、２通りの補正値を算出しえる。１つの例（３）として、補正値算出部２５は、第２実施形態のようにみなし階調値が算出された上補正の場合に、リスク境界ＲＢを構成している上側の画素１１１である２ｋ行の画素１１１の補正値を、（２（ｋ＋１））行の画素１１１の階調値の「ｄ２」として算出する。補正部２６は、画素データの画素１１１の階調値に補正値を加減算する。
【００５８】
また、第１実施形態のようにみなし階調値が算出された上補正のもう１つの例（４）として、階調値推定部２２は、リスク境界ＲＢを挟む下の画素１１１の下に位置する（２（ｋ＋２））行の画素１１１のみなし階調値を、リスク境界ＲＢを挟む下の画素１１１の階調値と、リスク境界ＲＢを挟む下の画素１１１の下に位置する画素１１１と、の平均値として算出する。
【００５９】
以上説明したように、第２実施形態の画像表示装置１では、例えば、間引き駆動における１フレームでは、偶数行の走査線の画素データと同じ画素１１１の階調値が、液晶パネル１００上において、当該偶数行の走査線の画素１１１と当該偶数行の下の奇数行の走査線の画素１１１の階調値として出力される。また、１フレームと異なる２フレームでは、奇数行の走査線の画素データと同じ画素１１１の階調値が、液晶パネル１００上において、当該奇数行の走査線の画素１１１と当該奇数行の下の偶数行の走査線の画素１１１の階調値として出力される。そのため、第２実施形態の画像表示装置１では、例えば、右眼用の画素データと、右眼用の画素データとは異なる左眼用の画素データと、を表示する駆動方法において、右眼用の画素データおよび左眼用の画素データが液晶パネル１００に書き込まれる時間を短縮する。また、第２実施形態の画像表示装置１では、リスク境界ＲＢの周辺の画素１１１の画素の階調値に対して過補正を行なわずに、ディスクリネーションの表示不良を抑制できる。
【００６０】
Ｃ．変形例：
なお、この発明は上記実施形態に限られるものではなく、その要旨を逸脱しない範囲において種々の態様において実施することが可能であり、例えば、次のような変形も可能である。
【００６１】
Ｃ−１．変形例１：
上記実施形態では、リスク境界ＲＢを挟む明画素と暗画素との補正値の算出方法として、第１補正係数αおよび第２補正係数βを用いた方法や、明画素と暗画素との一方のみに補正値を加減算する方法について説明したが、画素１１１の階調値の補正については、種々変形可能である。例えば、第１補正係数αや第２補正係数βが用いられずに、単純に、明画素から差し引かれる階調値と、暗画素に加えられる階調値と、が同じ値であってもよい。また、明画素の階調値、暗画素の階調値、階調差Δｃなどに基づいて、第１補正係数αなどの係数が変更されてもよいし、リスク境界ＲＢを挟む２つの画素１１１以外の画素の階調値が考慮されて、補正値が算出されてもよい。
【００６２】
また、上記実施形態では、間引き駆動の方法として、画素データに対して奇数行の走査線と偶数行の走査線とに分類して、画素データが供給されない液晶パネル１００上の画素１１１の階調値に対して、上または下に位置する走査線の画素１１１の階調値と同じとしたが、間引かれる画素１１１や間引かれる画素１１１の階調値については、種々変形可能である。例えば、複数の走査線の内、３分の１の走査線が画素データに基づく画素１１１の階調値に設定され、他の画素１１１は前のフレームで表示していた階調値を継続させてもよい。また、走査線の選択方法は、走査線のすべてにおいて均等に割り振られる必要はなく、例えば、液晶パネル１００の内の中央の走査線に対しては、密に画素データに基づく画素１１１の階調値が出力される走査線が配置されてもよい。
【００６３】
また、上記実施形態では、リスク境界ＲＢを挟む明画素と暗画素として、走査線に対して垂直な２つの画素１１１について説明したが、本発明は、必ずしも上下に位置する２つの画素１１１に挟まれるリスク境界ＲＢに限られず、それ以外のリスク境界ＲＢに対しても適用できる。例えば、本発明は、走査線に対して水平方向の２つの画素に挟まれるリスク境界ＲＢについて適用されてもよい。
【００６４】
本発明は、上記実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部または全部を解決するために、あるいは、上述の効果の一部または全部を達成するために、適宜、差し替えや、組み合わせを行なうことが可能である。また、その技術的特徴が本明細書中に必須なものとして説明されていなければ、適宜、削除することが可能である。
【符号の説明】
【００６５】
１…画像表示装置
１０…液晶表示装置
２０…補正処理部
２２…階調値推定部（階調値算出部）
２４…境界特定部（境界検出部）
２５…補正値算出部（補正部）
２６…補正部
３０…タイミング制御回路
４０…フレームメモリ
５０…表示制御部
１００…液晶パネル
１００ａ…素子基板
１００ｂ…対向基板
１０５…液晶
１０８…コモン電極
１１１…画素
１１２…走査線
１１４…データ線
１１５…容量線
１１６…ＴＦＴ
１１８…画素電極
１２０…液晶素子
１２５…保持容量
１３０…走査線駆動回路
１４０…データ線駆動回路
Ｓｙｎｃ…同期信号
Ｄａ−ｉｎ…入力表示データ
Ｄａ−ｏｕｔ…表示データ
Ｄａ−ｄ…表示データ
ＬＣｃｏｍ…コモン電圧
Ｘｃｔｒ…パネル駆動信号
Ｙｃｔｒ…制御信号
Δｃ…階調差
Ｃ，Ｕ１，Ｄ１…階調値
Ｘ１，Ｖｘ…データ信号
ＶＡ，ＶＢ，ＶＣ…電圧範囲
ＡＡ，ＡＢ，ＡＣ…階調範囲
ＤＡ…ディスクリネーション発生領域
ＲＢ…リスク境界
ＳＥ…横電界
Ｙｉ…走査信号
ＢＤ１，ＢＤ２，ＢＤ３…境界
Ｖｗｔ…電圧
【図１】
2016161620.tif 000003
【図２】
2016161620.tif 000004
【図３】
2016161620.tif 000005
【図４】
2016161620.tif 000006
【図５】
2016161620.tif 000007
【図６】
2016161620.tif 000008
【図７】
2016161620.tif 000009
【図８】
2016161620.tif 000010
【図９】
2016161620.tif 000011
【図１０】
2016161620.tif 000012
【図１１】
2016161620.tif 000013
【図１２】
2016161620.tif 000014
【図１３】
2016161620.tif 000015
【図１４】
2016161620.tif 000016